(57)【要約】【課題】非通話時における音漏れの発生を十分に防止することができ、携帯電話機等の本体ケース内への組み込みが容易な骨伝導スピーカユニットを提供することを課題とする。【解決手段】ハウジング１内に骨伝導スピーカ本体２を組み込んで構成される骨伝導スピーカユニットであって、骨伝導スピーカ本体２のプレートヨーク１７上面に弾性板２１が定着されると共に、ヨーク１１の裏面に弾性ベース２２が配置され、ハウジング１に、使用時に押圧力が加わった際に弾性板２１を介してプレートヨーク１７に当接状態となるコンタクト５を包持する弾性カバー３が、コンタクト５の下面と弾性板２１の上面との間に空隙ａを保持して被着されて構成される。【選択図】図１
2014083986.tif 000002
【特許請求の範囲】
【請求項１】
上面に弾性カバーが被装されるハウジング内に骨伝導スピーカ本体を組み込んで構成される骨伝導スピーカユニットであって、
前記骨伝導スピーカ本体は弾性ベースを介して前記ハウジング内に配置されると共に、そのプレートヨーク上面に弾性板が定着され、前記弾性カバーの内天面にコンタクトが配備され、前記弾性カバーを前記ハウジングに被装した際に前記コンタクトの下面と前記骨伝導スピーカ本体のプレートヨークの上面との間に空隙が保持され、使用時に前記弾性カバーに押圧力が加わった際に前記コンタクトの下面が前記プレートヨーク上面の弾性板に当接状態となることを特徴とする骨伝導スピーカユニット。
【請求項２】
前記ハウジングの内底面に凹陥部が形成され、前記凹陥部の全体が前記弾性ベースによって覆われることにより、前記弾性ベースの下側に空隙が形成された、請求項１に記載の
骨伝導スピーカユニット。
【請求項３】
前記コンタクトは上部にフランジを有する形状に形成され、前記弾性カバーの内天面に設けられる、前記フランジを係止して前記コンタクトの下面が露出するように前記コンタクトを包持する環状の包持部によって支持される、請求項１又は２に記載の骨伝導スピーカユニット。
【請求項４】
上面に弾性カバーが被装されるハウジング内に骨伝導スピーカ本体を組み込んで構成される骨伝導スピーカユニットであって、
前記骨伝導スピーカ本体は弾性ベースを介して前記ハウジング内に配置され、前記弾性カバーの内天面には肉厚部が一体に形成され、前記弾性カバーを前記ハウジングに被装した際に前記肉厚部の下面と前記骨伝導スピーカ本体のプレートヨークの上面との間に空隙が保持され、使用時に前記弾性カバーに押圧力が加わった際に前記肉厚部の下面が前記プレートヨークの上面に当接状態となることを特徴とする骨伝導スピーカユニット。
【請求項５】
前記ハウジングの内底面に凹陥部が形成され、前記凹陥部の全体が前記弾性ベースによって覆われることにより、前記弾性ベースの下側に空隙が形成された、請求項４に記載の骨伝導スピーカユニット。
【発明の詳細な説明】
【技術分野】
【０００１】
本発明は、骨伝導スピーカユニットに関するものであり、より詳細には、携帯電話等に組み込んだ場合において、音漏れの問題が起きない骨伝導スピーカユニットに関するものである。
【背景技術】
【０００２】
骨伝導スピーカユニットは、音声信号を振動に変換して頭骨等に伝達するもので、小型軽量で騒音下での使用も可能なことから、近時携帯電話機等の通信機器に広く用いられるようになってきている。【０００３】
ところで、骨伝導スピーカを構成する振動板の振動を頭骨に伝達させるために、振動板に、頭側面に当接されるコンタクトが固定されるが、振動板の振動をこのコンタクトに効率良く伝達させるために、コンタクトは振動板（プレートヨーク）に広範囲に亘って面状に固定される（ＷＯ２００５／０６９５８６Ａ１等）。しかし、その場合は、非通話時、即ち、コンタクトを頭側面に押し付けていないときにも、骨伝導スピーカが動作するに伴い、コンタクトが振動して音声振動（気導音）を発生させてしまうため、どうしても、ある程度の音漏れが発生してしまうという問題がある。【０００４】
そこで、非通話時における音漏れの発生を防止し、通話時には従来のものと同等の骨伝導スピーカの性能を発揮し得る骨伝導スピーカユニットとして、骨伝導スピーカ全体を包囲して支持する弾性資材製の容部と、該容部の上面を覆う、骨伝導スピーカの振動板と接触してそれと共に振動する可動天面とから成り、可動天面の内面に突部が形成され、通信機器の非使用時において、その突部のみが振動板に固定されているプレートヨークに当接するようにした構成が提案された（特許第４３６９９７６号公報）。【０００５】
この提案に係る骨伝導スピーカによった場合は、音漏れはかなり低減されることが確認されているが、未だ十分とは言えない状況にある。即ち、耳を近付けた時にはほとんど聞こえないが、押し当てた途端に大きく聞こえる、といった明らかな差を感じるようなレベルのものではない。また、可動天面の内面に突部を設け、プレートヨークとの間の接触度合いを調整する等の点において製造コストが嵩む嫌いがある。
【先行技術文献】
【特許文献】
【０００６】
【特許文献１】ＷＯ２００５／０６９５８６Ａ１
【特許文献２】特許第４３６９９７６号公報
【発明の概要】
【発明が解決しようとする課題】
【０００７】
上述したように、従来の骨伝導スピーカを用いた携帯電話機等においては、コンタクトが常時プレートヨークに密着状態となっているために、コンタクトが頭側面に当接していない非通話時においても、コンタクトが振動して音声振動を発生させて音漏れを起こすという問題があった。そして、この問題を解決するための従来提案されている骨伝導スピーカの場合においても、音漏れの低減が十分とは言い得ず、また、製造コストが嵩むという問題があった。【０００８】
本発明はこのような問題を解決するためになされたもので、非通話時における音漏れの発生を十分に防止することができると共に、通話時には従来のものと同等の骨伝導スピーカの性能を発揮することができ、また、シンプルな構成で製造コストを抑えることができて、携帯電話機等の本体ケース内への組み込みが容易である骨伝導スピーカユニットを提供することを課題とする。
【課題を解決するための手段】
【０００９】
上記課題を解決するための請求項１に係る発明は、上面に弾性カバーが被装されるハウジング内に骨伝導スピーカ本体を組み込んで構成される骨伝導スピーカユニットであって、前記骨伝導スピーカ本体は弾性ベースを介して前記ハウジング内に配置されると共に、そのプレートヨーク上面に弾性板が定着され、前記弾性カバーの内天面にコンタクトが配備され、前記弾性カバーを前記ハウジングに被装した際に前記コンタクトの下面と前記骨伝導スピーカ本体のプレートヨークの上面との間に空隙が保持され、使用時に前記弾性カバーに押圧力が加わった際に前記コンタクトの下面が前記プレートヨーク上面の弾性板に当接状態となることを特徴とする骨伝導スピーカユニットである。【００１０】
一実施形態においては、前記コンタクトは上部にフランジを有する形状に形成され、前記弾性カバーの内天面に設けられる、前記フランジを係止して前記コンタクトの下面が露出するように前記コンタクトを包持する環状の包持部によって支持される。【００１１】
上記課題を解決するための請求項４に係る発明は、上面に弾性カバーが被装されるハウジング内に骨伝導スピーカ本体を組み込んで構成される骨伝導スピーカユニットであって、前記骨伝導スピーカ本体は弾性ベースを介して前記ハウジング内に配置され、前記弾性カバーの内天面には肉厚部が一体に形成され、前記弾性カバーを前記ハウジングに被装した際に前記肉厚部の下面と前記骨伝導スピーカ本体のプレートヨークの上面との間に空隙が保持され、使用時に前記弾性カバーに押圧力が加わった際に前記肉厚部の下面が前記プレートヨークの上面に当接状態となることを特徴とする骨伝導スピーカユニットである。【００１２】
一実施形態においては、前記ハウジングの内底面に凹陥部が形成され、前記凹陥部の全体が前記弾性ベースによって覆われることにより、前記弾性ベースの下側に空隙が形成される。
【発明の効果】
【００１３】
本発明は上述したとおりであって、弾性カバーに押圧力が加わらない非使用時においては、コンタクトの下面と弾性板の上面との間、あるいは、肉厚部の下面とプレートヨークの上面との間に常に間隙が保持されるため、不用意に弾性カバーに振動が伝わって音声振動の発生が起こり、音漏れが発生することが確実に防止され、使用時には、弾性カバーを頭側面等に押し当てることで、弾性カバーに支持されているコンタクト又は肉厚部が内方に押し込まれてプレートヨークに面状に接触するため、振動板の振動が弾性カバーに確実に伝達されて、骨伝導スピーカの機能を十分に発揮させる効果がある。【００１４】
また、本発明に係る骨伝導スピーカは、構成簡易で、製造コストを抑えることができ、しかも、独立した音漏れの少ないユニットとして完結しているので、そのまま携帯電話ケース等内に組み込むことができる効果がある。
【図面の簡単な説明】
【００１５】
【図１】本発明に係る骨伝導スピーカユニットの第１の実施形態の縦断面図である。
【図２】本発明に係る骨伝導スピーカユニットの第１の実施形態の変形例を示す縦断面図である。
【図３】本発明に係る骨伝導スピーカユニットの第２の実施形態の縦断面図である。
【図４】本発明に係る骨伝導スピーカユニットにおける骨伝導スピーカ本体の分解斜視図である。
【発明を実施するための形態】
【００１６】
本発明を実施するための形態について、添付図面に依拠して説明する。図１は、本発明に係る骨伝導スピーカユニットの第１の実施形態の縦断面図で、そこに示されるように、本発明に係る骨伝導スピーカユニットは、ハウジング１と、ハウジング１内に組み込まれる骨伝導スピーカ本体２と、ハウジング１に被着される弾性カバー３とから成る。
【００１７】
骨伝導スピーカ本体２は、例えば、図４に示されるように、ヨーク１１の中央部に設けられたセンターポール１２を囲むようにボイスコイル１３が配置され、ボイスコイル１３の両側に、一対の棒状のマグネット１４、１４が定着され、ボイスコイル１３及びマグネット１４、１４に被せるように振動板１５が配置されて構成される。振動板１５は、その両端部が、ヨーク１１の両端部に立設された側壁１６の上面にネジ止めされることにより固定される。その際、振動板１５とボイスコイル１３の上面との間に間隙が保持される（図１参照）。
【００１８】
振動板１５にはプレートヨーク１７に対応する開口１８が形成され、その開口１８を越えて延びるプレートヨーク１７の長さ方向両端部１７ａが開口１８の縁部に固定されることにより、プレートヨーク１７が開口１８を塞ぐように設置される。かくしてプレートヨーク１７は、振動板１５の振動に伴って振動することになる。なお、上記形態は、マグネット１４、１４をボイスコイル１３の外側に配置した、所謂外磁型の構成であるが、逆に、マグネットをボイスコイルの内側に配置する（マグネットがセンターポールを兼ねる）、所謂内磁型の構成とすることもできる。
【００１９】
本発明の第１の実施形態においては、上記構成の骨伝導スピーカ本体２のプレートヨーク１７の上面に弾性板２１が固定され、また、ヨーク１１の裏面に弾性ベース２２が配備される。弾性ベース２２は、それが当接することになるハウジング１の内底面のサイズに対応するサイズとされる。弾性板２１と弾性ベース２３は、例えば、ウレタンフォーム、アクリルフォーム等の発泡材、あるいは、低硬度のシリコーンラバー、ウレタンラバーその他のラバー材で製造する。
【００２０】
ハウジング１は、通例、硬質樹脂製の容体であり、弾性カバー３は、低硬度のシリコーンラバー、ウレタンラバー等のラバー材、その他の低高度素材を用いて成形され、ハウジング１に結合される。ハウジング１の側壁には、ボイスコイル１３から延びるリード線１９を引き出すための開口が形成される。また、弾性カバー３の内天面には、弾性板２１を介してプレートヨーク１７に当接状態となるコンタクト５の包持部４が形成される。コンタクト５は上部にフランジ５ａを有する形状に形成され、包持部４は、このフランジ５ａを係止し、且つ、コンタクト５の下面を露出させる環状のものとされる。コンタクト５は、包持部４をその弾性を利用して拡げることにより包持部４内に密嵌することができる。
【００２１】
骨伝導スピーカ本体２は、通例、予めそのヨーク１１の裏面に弾性ベース２２を固定した状態でハウジング１内に装入され、弾性ベース２２をハウジング１の内底面に固定することによりハウジング１内に設置される。そして、ボイスコイル１３から延びるリード線１９が、ハウジング１の側壁に穿設された開口から引き出される。その後、弾性カバー３がハウジング１に嵌め付けられるが、その際、コンタクト５の下面とプレートヨーク１７上の弾性板２１との間に空隙ａが確保される。この空隙ａは、弾性カバー３にある程度の力が加わった際に、即ち、使用時に弾性カバー３が頭側面等に押し付けられるに伴って弾性カバー３が内側に押し込まれた際に、コンタクト５の下面が弾性板２１に確実に密着し得る間隔に設定される。
【００２２】
骨伝導スピーカ本体２の振動出力は、その一部がハウジング１に接触することにより発生するので、骨伝導スピーカ本体２は、非通話時において直接ハウジング１に接触することがないよう、極力ハウジング１内において浮上状態に保持されることが要求される。しかるに、上記構成の骨伝導スピーカユニットの場合、骨伝導スピーカ本体２は、そのヨーク１１の裏面に配備される弾性ベース２２を介してハウジング１の内底面に固定されており、また、非通話時においてプレートヨーク１７は、弾性カバー３を介してハウジング１に設置されているコンタクト５から、空隙ａの間隔分離隔する状態に支持されるため、骨伝導スピーカ本体２の全体がハウジング１に直接接触しない、理想的な構成となる。
【００２３】
ヨーク１１は、振動系部分、即ち、振動板１５とそれに固定されているプレートヨーク１７の部分に比べて振動を伝達しにくい部分であるため、図１に示される第１の実施形態におけるように、ハウジング１の内底面との間に弾性ベース２２を介在させて設置するだけで、ハウジング１に対するアイソレーションは十分であるが、図２に示される変形例は、このアイソレーション効果を更に高めたものである。
【００２４】
即ち、その変形例では、ハウジング１の内底面に、浅い凹陥部６が形成され、凹陥部６の全体が弾性ベース２２によって覆われるようにされ、それ以外は、上記実施形態の場合と同様に構成される。この第１の実施形態の変形例の場合は、ヨーク１１の裏面に配備される弾性ベース２２の下面周縁部が、凹陥部６の周縁堤上に固定されることにより、弾性ベース２２の下側に、弾性ベース２２によって密閉される空隙ｂが形成される。
【００２５】
このように弾性ベース２２の下側に空隙ｂを設けたときは、骨伝導スピーカ本体２のハウジング１に対する接触度合がより減少してアイソレーション効果が高められるために、非通話時において、骨伝導スピーカ本体２の振動出力が一層ハウジング１に伝わりにくい構造となる。
【００２６】
上記骨伝導スピーカユニットの場合、弾性カバー３に押圧力が加わらない非通話時には、プレートヨーク１７及びその上面の弾性板２１がコンタクト５から空隙ａの間隔分離隔しているため、プレートヨーク１７及び弾性板２１が振動しても、その振動はコンタクト５には伝達しないため、意図しない音漏れが発生することが防止される。
【００２７】
そして、通話時に弾性カバー３を頭側面等に押し当てると、弾性カバー３が内側に押し込まれてコンタクト５の下面が弾性板２１を介してプレートヨーク１７に面接触する。この状態で音声信号により振動が発生すると、その振動はプレートヨーク１７及び弾性板２１を介してコンタクト５に伝達され、コンタクト５から頭骨に伝達されて骨伝導受話が可能となる。その際、プレートヨーク１７とコンタクト５の間に弾性板２１が介在するため、プレートヨーク１７とコンタクト５とが接触して異音を発生する事態の発生は皆無となる。
【００２８】
図３は、本発明の第２の実施形態を示すもので、上面に弾性カバー３が被装されるハウジング１内に骨伝導スピーカ本体２を組み込んで構成される骨伝導スピーカユニットであって、骨伝導スピーカ本体２が弾性ベース２２を介してハウジング１内に配備される点は、上記第１の実施形態の場合と同じであり、また、その変形例として、図２に示されると同様の凹陥部６を設ける構成とされることもある。
【００２９】
この第２の実施形態の場合は、上記コンタクト５を用いず、その代わりに弾性カバー３の内天面に、下面を平坦にした肉厚部７が一体に形成され、弾性カバー３をハウジング１に被装した際に、肉厚部７の下面と骨伝導スピーカ本体２のプレートヨーク１７の上面との間に空隙ａが保持されるように構成される。
【００３０】
この第２の実施形態に係る骨伝導スピーカユニットの場合も、弾性カバー３に押圧力が加わらない非通話時には、プレートヨーク１７が肉厚部７から空隙ａの間隔分離隔しているため、プレートヨーク１７が振動しても、その振動は肉厚部７、換言すれば、弾性カバー３には伝達されないため、意図しない音漏れが発生することが防止される。また、通話時に弾性カバー３が内側に押し込まれると、肉厚部７の下面がプレートヨーク１７に面接触状態となり、この状態で音声信号により振動が発生すると、その振動はプレートヨーク１７から肉厚部７を経て頭骨に伝達され、以て、骨伝導受話が可能となる。そして、肉厚部７は弾性素材であるため、プレートヨーク１７と肉厚部７とが接触して異音を発生することはない。
【００３１】
本発明に係る骨伝導スピーカユニットは上記構成であって、独立した音漏れの少ないユニットとして完結しているので、そのまま携帯電話機の本体ケース等内に任意の取り付け方法によって組み込んで使用することができ、非常に使い勝手がよい。そして、プレートヨーク１７（弾性板２１）とコンタクト５（肉厚部７）との間に空隙ａが確保されるため、音漏れが確実に防止される。また、骨伝導スピーカ本体２は、弾性カバー３が密嵌されたハウジング１内に装填されるため、別途、防水、防塵対策を講ずる必要はない。  
【００３２】
この発明をある程度詳細にその最も好ましい実施形態について説明してきたが、この発明の精神と範囲に反することなしに広範に異なる実施形態を構成することができることは明白である。従って、この発明は、添付の請求の範囲において限定した以外はその特定の実施形態に制約されるものではない。
【図１】
2014083986.tif 000003
【図２】
2014083986.tif 000004
【図３】
2014083986.tif 000005
【図４】
2014083986.tif 000006
【国際調査報告】
2014083986.tif 000007
2014083986.tif 000008
2014083986.tif 000009
2014083986.tif 000010